(57)【要約】【課題】経歴の照会を伴う対象業務の効率化を図ることである。【解決手段】人事管理装置１０は、操作部１２を介して、処理の対象とする対象業務の選択入力を受け付け、選択入力された対象業務に対応して予め定められた表示項目を時系列に従って配置した経歴タイムラインを所定のタイムスケールで表示部１４に表示させる。【選択図】図１
2018049490.tif 000002
【特許請求の範囲】
【請求項１】
処理の対象とする対象業務の選択入力を受け付ける選択手段と、
前記選択入力された対象業務に対応して予め定められた表示項目を時系列に従って配置した経歴タイムラインを所定のタイムスケールで表示手段に表示させる表示制御手段と、
を備える情報処理装置。
【請求項２】
前記表示制御手段は、前記選択入力された対象業務に対応して予め定められた表示項目及び単位期間のタイムスケールで経歴タイムラインを前記表示手段に表示させる請求項１に記載の情報処理装置。
【請求項３】
前記表示制御手段は、複数の対象業務に対応づけて表示項目及びタイムスケールの単位期間が設定された設定情報に基づいて、前記選択入力された対象業務に対応する表示項目及び単位期間のタイムスケールで経歴タイムラインを表示させる請求項２に記載の情報処理装置。
【請求項４】
前記設定情報は、前記複数の対象業務に対応づけた表示項目の表示順を含み、
前記表示制御手段は、前記設定情報に基づいて、前記選択入力された対象業務に対応する表示項目及び単位期間のタイムスケールで経歴タイムラインを表示順に表示させる請求項３に記載の情報処理装置。
【請求項５】
前記表示制御手段は、複数の表示項目を関連付けて表示させる組合せを示すセット情報に基づいて、前記選択入力された対象業務に対応する表示項目の経歴タイムラインを関連付けして表示させる請求項１から４のいずれか一項に記載の情報処理装置。
【請求項６】
コンピュータを、
処理の対象とする対象業務の選択入力を受け付ける選択手段、
前記選択入力された対象業務に対応して予め定められた表示項目を時系列に従って配置した経歴タイムラインを所定のタイムスケールで表示手段に表示させる表示制御手段、
として機能させるためのプログラム。
【発明の詳細な説明】
【技術分野】
【０００１】
本発明は、情報処理装置及びプログラムに関する。
【背景技術】
【０００２】
従来、企業において、コンピュータを用いて社員の労務管理や給与管理を行うシステムとして、人事管理システムが知られている。この人事管理システムでは、例えばＡさんの人事履歴情報を照会することが行われる。
【０００３】
例えば、人事管理システムとして、人事履歴情報の検索項目の経験期間を年数表示メータの長さで表示する情報処理装置が知られている（特許文献１参照）。
【先行技術文献】
【特許文献】
【０００４】
【特許文献１】特開２０１１−２１０００４号公報
【発明の概要】
【発明が解決しようとする課題】
【０００５】
人事管理システムでは、労務管理や給与管理に関連した様々な業務を行う際に、主要業務を行う際に最適な表示項目にて人事履歴情報の照会を行うのが一般的である。従来の人事管理システムでは、対象業務に最適な表示項目になっていないため、対象業務の操作が煩雑であり、業務の効率が低下していた。
【０００６】
本発明の課題は、経歴の照会を伴う対象業務の効率化を図ることである。
【課題を解決するための手段】
【０００７】
上記課題を解決するために、本発明の情報処理装置は、処理の対象とする対象業務の選択入力を受け付ける選択手段と、前記選択入力された対象業務に対応して予め定められた表示項目を時系列に従って配置した経歴タイムラインを所定のタイムスケールで表示手段に表示させる表示制御手段と、を備える。
【発明の効果】
【０００８】
本発明によれば、経歴の照会を伴う対象業務の効率化を図ることができる。
【図面の簡単な説明】
【０００９】
【図１】本発明の実施の形態の人事管理装置を示すブロック図である。
【図２】社員基本情報テーブルの構成を示す図である。
【図３】（ａ）は、社員履歴情報テーブルの構成を示す図である。（ｂ）は、人事履歴情報照会画面設定テーブルの構成を示す図である。
【図４】人事履歴情報照会処理を示すフローチャートである。
【図５】照会対象社員業務選択画面情報を示す図である。
【図６】人事情報照会業務を選択した場合の第１の人事履歴情報照会画面情報を示す図である。
【図７】月次給与情報照会業務を選択した場合の第２の人事履歴情報照会画面情報を示す図である。
【発明を実施するための形態】
【００１０】
以下、添付図面を参照して本発明に係る実施の形態を詳細に説明する。なお、本発明は、図示例に限定されるものではない。
【００１１】
先ず、図１を参照して、本実施の形態の装置構成を説明する。図１は、本実施の形態の人事管理装置１０を示すブロック図である。
【００１２】
情報処理装置としての人事管理装置１０は、企業に設置され、当該企業の社員の個人情報としての人事情報を管理する装置である。人事情報（人事履歴情報）は、人事に関する情報に加え、業務に関する情報も含むものとする。人事管理装置１０は、採用管理、人事管理、労務管理、給与管理等に関連した業務処理により、社員の情報の登録、管理を行う。但し、人事管理装置１０は、企業の社員の人事情報を管理する構成に限定されるものではなく、社員以外の人材の個人情報を管理する構成としてもよい。
【００１３】
図１に示すように、人事管理装置１０は、表示制御手段としてのＣＰＵ（Central Processing Unit）１１と、選択手段としての操作部１２と、ＲＡＭ（Random Access Memory）１３と、表示手段としての表示部１４と、記憶部１５と、通信部１６と、を備える。人事管理装置１０の各部は、バス１７を介して接続されている。
【００１４】
ＣＰＵ１１は、人事管理装置１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１５】
操作部１２は、キーボード等のキー入力部と、マウス等のポインティングデバイスとを有し、操作者（オペレータ）からのキー操作入力及び位置操作入力を受け付け、その操作情報をＣＰＵ１１に出力する。
【００１６】
ＲＡＭ１３は、揮発性のメモリであり、各種のデータやプログラムを一時的に格納するワークエリアを形成する。表示部１４は、ＬＣＤ（Liquid Crystal Display）、ＥＬ（ElectroLuminescent）ディスプレイ等で構成され、ＣＰＵ１１から指示された表示情報に従い各種表示を行う。
【００１７】
記憶部１５は、ＨＤＤ（Hard Disk Drive）、ＳＳＤ（Solid State Drive）等により構成され、データ及びプログラムを書き込み及び読み出し可能な記憶部である。記憶部１５は、人事履歴情報照会プログラム１５１と、後述する、社員基本情報テーブル２０、社員履歴情報テーブル３０、人事履歴情報照会画面設定テーブル４０、アイコンデータと、を記憶している。
【００１８】
通信部１６は、ネットワークカード等により構成され、通信ネットワーク（図示略）上のデータベース等の機器に接続される。通信ネットワークは、ＬＡＮ（Local Area Network）、ＷＡＮ（Wide Area Network）等である。ＣＰＵ１１は、通信部１６を介して、通信ネットワーク上の機器と通信が可能である。
【００１９】
本実施の形態では、社員基本情報テーブル２０、社員履歴情報テーブル３０、人事履歴情報照会画面設定テーブル４０等が記憶部１５に記憶されているものとして説明するが、これに限定されるものではない。例えば、通信部１６を介して通信接続されたサーバ等の記憶装置に社員基本情報テーブル２０、社員履歴情報テーブル３０、人事履歴情報照会画面設定テーブル４０等が記憶され、ＣＰＵ１１は、必要に応じて、通信部１６を介して、記憶装置にアクセスし、社員基本情報テーブル２０、社員履歴情報テーブル３０、人事履歴情報照会画面設定テーブル４０等を読み出し、書き込みする構成としてもよい。
【００２０】
次に、図２、図３を参照して、記憶部１５に記憶されている情報を説明する。図２は、社員基本情報テーブル２０の構成を示す図である。図３（ａ）は、社員履歴情報テーブル３０の構成を示す図である。図３（ｂ）は、人事履歴情報照会画面設定テーブル４０の構成を示す図である。
【００２１】
社員基本情報テーブル２０は、企業に所属する社員の現在の基本的な人事情報を有するデータテーブルである。図２に示すように、社員基本情報テーブル２０は、社員番号２１、社員氏名２２、年齢２３、性別２４、データ更新年月２５、自宅２６等のフィールドを有する。
【００２２】
社員番号２１は、企業に所属する社員の識別情報である。社員氏名２２は、社員番号２１の社員の氏名である。年齢２３は、社員番号２１の社員の年齢である。性別２４は、社員番号２１の社員の年齢である。データ更新年月２５は、社員番号２１の社員の社員基本情報テーブル２０のレコードの更新年月である。自宅２６は、社員番号２１の社員の自宅の住所である。
【００２３】
社員履歴情報テーブル３０は、企業に所属する社員の過去から現在までの人事情報の履歴情報（人事履歴情報）を有するデータテーブルである。図３（ａ）に示すように、社員履歴情報テーブル３０は、社員番号３１、社員氏名３２、分類３３、タイトル３４、内容３５、開始３６、終了３７、アイコン種別３８等のフィールドを有する。
【００２４】
社員番号３１は、企業に所属する社員の識別情報である。社員氏名３２は、社員番号３１の社員の氏名である。分類３３は、社員番号３１の社員の履歴情報の分類の名称である。タイトル３４は、社員番号３１の社員の履歴情報のタイトル名である。内容３５は、社員番号３１の社員の履歴情報の内容である。
【００２５】
開始３６は、分類３３、タイトル３４、内容３５に対応する履歴情報の開始年月日である。終了３７は、分類３３、タイトル３４、内容３５に対応する履歴情報の終了年月日である。アイコン種別３８は、分類３３、タイトル３４、内容３５に対応する履歴情報を示すアイコンの種別である。
【００２６】
人事履歴情報照会画面設定テーブル４０は、後述する人事履歴情報照会画面情報の設定情報を有するデータテーブルである。図３（ｂ）に示すように、人事履歴情報照会画面設定テーブル４０は、業務名称４１、プロジェクト４２、研修４３、資格４４、基本給４５、役職４６、特別手当４７、勤務地４８、自宅４９、住宅手当５０、家族構成５１、家族手当５２、スケール５３等のフィールドを有する。
【００２７】
業務名称４１は、人事履歴情報照会を行う対象業務の名称である。業務名称４１は、例えば、一般的な人事情報（人事履歴情報）照会を行う人事情報照会業務、月次給与に関する人事履歴情報照会を行う月次給与情報照会業務を含むものとする。
【００２８】
プロジェクト４２は、業務名称４１の業務に対応する人事履歴情報照会画面情報で分類がプロジェクトの履歴情報のタイムラインを表示するか否か、その人事履歴情報照会画面情報内での表示順情報、及びセット表示する場合のセット番号を示す設定情報である。プロジェクト４２は、番号なし、１つの番号（○）あり、２つの番号（○−△）ありの３通りがある。プロジェクト４２が番号なしの場合に、人事履歴情報照会画面情報で分類がプロジェクトの履歴情報のタイムラインが表示されない。プロジェクト４２が１つの番号ありの場合に、人事履歴情報照会画面情報で分類がプロジェクトの履歴情報のタイムラインが表示されるとともに、人事履歴情報照会画面情報内でのプロジェクトの履歴情報のタイムラインの表示順（○番目）を示す。
【００２９】
プロジェクト４２が２つの番号ありの場合に、人事履歴情報照会画面情報で分類がプロジェクトの履歴情報のタイムラインが表示されるとともに、人事履歴情報照会画面情報内でのプロジェクトの履歴情報のタイムラインの表示順（○番）を示し、さらに、プロジェクト以外の分類の履歴情報のタイムラインと関連付けて表示する場合のセット番号（△）を示す。
【００３０】
研修４３は、業務名称４１の業務に対応する人事履歴情報照会画面情報で分類が研修の履歴情報のタイムラインを表示するか否か、その人事履歴情報照会画面情報内での表示順情報、及びセット表示する場合のセット番号を示す設定情報である。資格４４は、業務名称４１の業務に対応する人事履歴情報照会画面情報で分類が資格の履歴情報のタイムラインを表示するか否か、その人事履歴情報照会画面情報内での表示順情報、及びセット表示する場合のセット番号を示す設定情報である。基本給４５は、業務名称４１の業務に対応する人事履歴情報照会画面情報で分類が基本給の履歴情報のタイムラインを表示するか否か、その人事履歴情報照会画面情報内での表示順情報、及びセット表示する場合のセット番号を示す設定情報である。
【００３１】
資格４４が１−１で、基本給４５が２−１である場合、同じセット番号を有している。このとき、人事履歴情報照会画面情報において、資格の履歴情報のタイムラインと、基本給の履歴情報のタイムラインとが、この順に表示され、関連付けられてセット表示される。
【００３２】
役職４６は、業務名称４１の業務に対応する人事履歴情報照会画面情報で分類が役職の履歴情報のタイムラインを表示するか否か、その人事履歴情報照会画面情報内での表示順情報、及びセット表示する場合のセット番号を示す設定情報である。特別手当４７は、業務名称４１の業務に対応する人事履歴情報照会画面情報で分類が特別手当の履歴情報のタイムラインを表示するか否か、その人事履歴情報照会画面情報内での表示順情報、及びセット表示する場合のセット番号を示す設定情報である。勤務地４８は、業務名称４１の業務に対応する人事履歴情報照会画面情報で分類が勤務地の履歴情報のタイムラインを表示するか否か、その人事履歴情報照会画面情報内での表示順情報、及びセット表示する場合のセット番号を示す設定情報である。
【００３３】
自宅４９は、業務名称４１の業務に対応する人事履歴情報照会画面情報で分類が自宅の履歴情報のタイムラインを表示するか否か、その人事履歴情報照会画面情報内での表示順情報、及びセット表示する場合のセット番号を示す設定情報である。住宅手当５０は、業務名称４１の業務に対応する人事履歴情報照会画面情報で分類が住宅手当の履歴情報のタイムラインを表示するか否か、その人事履歴情報照会画面情報内での表示順情報、及びセット表示する場合のセット番号を示す設定情報である。
【００３４】
家族構成５１は、業務名称４１の業務に対応する人事履歴情報照会画面情報で分類が家族構成の履歴情報のタイムラインを表示するか否か、その人事履歴情報照会画面情報内での表示順情報、及びセット表示する場合のセット番号を示す設定情報である。家族手当５２は、業務名称４１の業務に対応する人事履歴情報照会画面情報で分類が家族手当の履歴情報のタイムラインを表示するか否か、その人事履歴情報照会画面情報内での表示順情報、及びセット表示する場合のセット番号を示す設定情報である。
【００３５】
スケール５３は、業務名称４１の業務に対応する人事履歴情報照会画面情報でのタイムラインの時間の基準となるタイムスケールの単位期間を示す情報である。
【００３６】
次に、図４〜図７を参照して、人事管理装置１０の動作を説明する。図４は、人事履歴情報照会処理を示すフローチャートである。図５は、照会対象社員業務選択画面情報２００を示す図である。図６は、人事情報照会業務を選択した場合の人事履歴情報照会画面情報３００を示す図である。図７は、月次給与情報照会業務を選択した場合の人事履歴情報照会画面情報３００Ａを示す図である。
【００３７】
人事管理装置１０で実行される人事履歴情報照会処理を説明する。人事履歴情報照会処理は、人事履歴情報の照会対象の社員を指定し、指定した社員の対象業務に関する人事履歴情報を時系列に並べて表示（タイムライン表示）する処理である。人事管理装置１０において、例えば、操作部１２を介して操作者から人事履歴情報照会処理の実行指示が入力されたことをトリガとして、ＣＰＵ１１は、記憶部１５から読み出して適宜ＲＡＭ１３に展開した人事履歴情報照会プログラム１５１との協働で、人事履歴情報照会処理を実行する。
【００３８】
図４に示すように、先ず、ＣＰＵ１１は、照会対象社員業務選択画面情報を生成して表示部１４に表示し、操作部１２を介して、操作者からの照会対象社員の社員情報の指定入力を受け付ける（ステップＳ１１）。ステップＳ１１では、例えば、図５に示す照会対象社員業務選択画面情報２００が生成されて表示される。
【００３９】
照会対象社員業務選択画面情報２００は、社員番号入力欄２０１と、社員氏名入力欄２０２と、業務入力欄２０３と、実行ボタン２０４と、を有する。社員番号入力欄２０１は、照会対象社員の社員番号の入力を受け付ける入力欄である。社員氏名入力欄２０２は、照会対象社員の氏名の入力を受け付ける入力欄である。ステップＳ１１では、社員番号入力欄２０１に社員番号が入力され、社員氏名入力欄２０２に社員氏名が入力される。
【００４０】
業務入力欄２０３は、照会を行う対象業務の選択入力欄であり、例えば、ドロップダウンリストにより構成される。このドロップダウンリストの選択元となる情報は、例えば、人事履歴情報照会画面設定テーブル４０の全レコードの業務名称４１に基づく。実行ボタン２０４は、社員番号入力欄２０１、社員氏名入力欄２０２の指定、業務入力欄２０３の選択を確定し、照会の実行の入力を受け付ける入力欄である。
【００４１】
そして、ＣＰＵ１１は、操作部１２を介して、操作者からの対象業務の業務情報の選択入力を受け付ける（ステップＳ１２）。ステップＳ１２では、業務入力欄２０３により、対象業務が選択入力され、実行ボタン２０４がクリック入力される。ステップＳ１１，Ｓ１２で、例えば、照会対象社員としての山田太郎の社員番号：１０００、社員氏名：山田太郎、対象業務：人事情報照会業務、が入力されたものとする。
【００４２】
そして、ＣＰＵ１１は、社員基本情報テーブル２０、社員履歴情報テーブル３０、人事履歴情報照会画面設定テーブル４０及びアイコンデータを記憶部１５から読み出し、社員基本情報テーブル２０、社員履歴情報テーブル３０、人事履歴情報照会画面設定テーブル４０及びアイコンデータに基づいて、ステップＳ１１で入力された社員情報（社員番号及び社員氏名）とステップＳ１２で入力された対象業務とに対応する照会対象社員の人事履歴情報を示す人事履歴情報照会画面情報を生成して表示部１４に表示する（ステップＳ１３）。ステップＳ１３では、例えば、図６に示す人事履歴情報照会画面情報３００が生成され表示される。
【００４３】
人事履歴情報照会画面情報３００は、社員基本情報表示欄３１０と、タイムスケール表示欄３２０と、履歴情報表示欄３３０と、終了ボタン３４０と、を有する。
【００４４】
社員基本情報表示欄３１０は、社員基本情報テーブル２０のステップＳ１１で入力された照会対象社員のレコードに基づく社員基本情報の表示欄である。社員基本情報表示欄３１０は、例えば、ステップＳ１１で入力された社員番号２１、社員氏名３２及びこれらに対応する年齢２３が表示されている。タイムスケール表示欄３２０は、人事履歴情報の表示対象のタイムスケールの表示欄であり、その単位期間が人事履歴情報照会画面設定テーブル４０のステップＳ１２で入力された対象業務（業務名称４１）に対応するスケール５３に基づく（例えば、１年）。タイムスケールは、経時の方向として左から右への方向に、複数の単位期間が順に並べられている。
【００４５】
履歴情報表示欄３３０は、社員履歴情報テーブル３０のステップＳ１１で入力された照会対象社員のレコード（社員番号３１、社員氏名３２が、照会対象社員の社員番号、社員氏名のレコード）のうち、人事履歴情報照会画面設定テーブル４０のステップＳ１２で入力された対象業務のレコード（業務名称４１が対象業務のレコード）に対応するものに基づく人事履歴情報のタイムラインの表示欄である。履歴情報表示欄３３０は、分類表示欄３３１と、履歴情報表示領域３３２と、を有する。分類表示欄３３１は、業務名称４１が対象業務のレコードのプロジェクト４２〜家族手当５２のうち、履歴情報を表示する設定（表示順の番号があるもの）がされている分類が、その表示順に表示される。分類表示欄３３１において、例えば具体的には、プロジェクト、研修、資格、役職、勤務地、自宅、家族構成の分類が順に表示される。
【００４６】
履歴情報表示領域３３２は、タイムスケール表示欄３２０のタイムスケールの単位期間に対応するように、照会対象社員の分類表示欄３３１の分類毎に、人事履歴情報の開始位置、終了位置、開始年月（、終了年月）、タイトル、アイコンを含むタイムライン（経歴タイムライン）を示す。履歴情報表示領域３３２の表示する設定がされた分類３３の人事履歴情報のタイムラインの開始位置、終了位置、開始年月（、終了年月）、内容、アイコンは、開始３６、終了３７、開始３６に対応する年月（、終了３７に対応する年月）、タイトル３４、アイコン種別３８に対応するアイコンデータに基づく。
【００４７】
終了ボタン３４０は、人事履歴情報照会処理の終了指示の入力を受け付ける押しボタンである。
【００４８】
図４に戻り、ＣＰＵ１１は、操作部１２を介して操作者から終了ボタン３４０のクリック入力があるか否かを判別する（ステップＳ１４）。終了ボタン３４０のクリック入力がない場合（ステップＳ１４；ＮＯ）、ステップＳ１４に移行される。終了ボタン３４０のクリック入力がある場合（ステップＳ１５；ＹＥＳ）、人事履歴情報照会処理が終了する。
【００４９】
ここで、ステップＳ１３で表示される人事履歴情報照会画面情報の別の例を説明する。人事履歴情報照会処理が実行され、ステップＳ１１，Ｓ１２で、照会対象社員としての鈴木次郎の社員番号：２００１、社員氏名：鈴木次郎、対象業務：月次給料情報照会業務、が入力されたものとする。
【００５０】
すると、ステップＳ１３において、図７に示すような人事履歴情報照会画面情報３００Ａが表示される。人事履歴情報照会画面情報３００Ａは、社員基本情報表示欄３１０Ａと、タイムスケール表示欄３２０Ａと、履歴情報表示欄３３０Ａと、終了ボタン３４０と、を有する。
【００５１】
社員基本情報表示欄３１０Ａは、社員基本情報表示欄３１０と同様の表示欄であるが、ステップＳ１１で入力された照会対象社員の鈴木次郎の社員番号２１、社員氏名２２、年齢２３が表示されている。
【００５２】
タイムスケール表示欄３２０Ａは、タイムスケール表示欄３２０と同様の表示欄であるが、ステップＳ１１で入力された対象業務の月次給与情報照会業務の業務名称４１のスケール５３に基づき、単位期間が１か月のタイムスケールが表示されている。
【００５３】
履歴情報表示欄３３０Ａは、履歴情報表示欄３３０と同様の表示欄であるが、ステップＳ１１で入力された照会対象社員の鈴木次郎と、ステップＳ１２で入力された対象業務の月次給与情報照会業務と、に対応する人事履歴情報のタイムラインが表示されている。履歴情報表示欄３３０Ａの分類表示欄３３１Ａは、ステップＳ１２で入力された対象業務の月次給与情報照会業務の業務名称４１の表示設定された資格４４、基本給４５、役職４６、特別手当４７、勤務地４８、自宅４９、住宅手当５０、家族構成５１、家族手当５２の表示順に、資格、基本給、役職、特別手当、勤務地、自宅、住宅手当、家族構成、家族手当の分類が表示されている。
【００５４】
また、分類表示欄３３１Ａは、月次給与情報照会業務の業務名称４１の表示設定された資格４４、基本給４５、役職４６、特別手当４７、勤務地４８、自宅４９、住宅手当５０、家族構成５１、家族手当５２のセット番号に基づき、セット線情報３３１ａが表示されている。例えば、セット番号が１の資格及び基本給がセット線情報３３１ａで結ばれ、セット番号が２の役職及び特別手当がセット線情報３３１ａで結ばれ、セット番号が３の勤務地、自宅及び住宅手当がセット線情報３３１ａで結ばれ、セット番号が４の家族構成及び家族手当がセット線情報３３１ａで結ばれている。
【００５５】
セット線情報３３１ａは、例えば、ある分類の人事履歴情報の変化に応じて、他の分類の人事履歴情報の変化が発生するような場合に、付加されている。例えば、図７に示すように、セット線情報３３１ａは、ある分類（資格等）の分類の人事履歴情報のタイムラインの変化に応じて、当該変化の次の月に、他の分類（基本給等）の人事履歴情報のタイムラインの給与の変化が発生するような場合に、付加されている。
【００５６】
履歴情報表示欄３３０Ａの履歴情報表示領域３３２Ａは、社員履歴情報テーブル３０の照会対象社員の鈴木次郎の社員番号３１、社員氏名３２に対応する、対象業務の月次給与情報照会業務の表示設定された資格、基本給、役職、特別手当、勤務地、自宅、住宅手当、家族構成、家族手当の分類３３に対応するレコードに基づく人事履歴情報のタイムラインが表示されている。
【００５７】
以上、本実施の形態によれば、人事管理装置１０は、操作部１２を介して、処理の対象とする対象業務の選択入力を受け付け、選択入力された対象業務に対応して予め定められた表示項目としての分類を時系列に従って配置した人事履歴情報のタイムラインを所定のタイムスケールで表示部１４に表示させる。
【００５８】
このため、経歴（人事履歴情報）の照会を伴う対象業務に対応する人事履歴情報のタイムラインを容易に表示でき、当該対象業務の効率化を図ることができる。
【００５９】
また、人事管理装置１０は、選択入力された対象業務に対応して予め定められた分類及び単位期間のタイムスケールで人事履歴情報のタイムラインを表示部１４に表示させる。このため、所望の対象業務に適切な分類及びタイムスケールの人事履歴情報のタイムラインを表示できる。
【００６０】
また、人事管理装置１０は、複数の対象業務（業務名称４１）に対応づけて予め定められた分類（プロジェクト４２〜家族手当５２）及びタイムスケールの単位期間（スケール５３）が設定された人事履歴情報照会画面設定テーブル４０に基づいて、選択入力された対象業務に対応する分類及び単位期間のタイムスケールで人事履歴情報のタイムラインを表示させる。このため、対象業務に対応する分類及びタイムスケールの人事履歴情報のタイムラインを容易に表示できる。
【００６１】
また、人事履歴情報照会画面設定テーブル４０は、複数の対象業務（業務名称４１）に対応づけた表示項目の表示順（プロジェクト４２〜家族手当５２の１番目の数字）を含む。人事管理装置１０は、人事履歴情報照会画面設定テーブル４０に基づいて、選択入力された対象業務に対応する分類及び単位期間のタイムスケールで人事履歴情報のタイムラインを表示順に表示させる。このため、人事履歴情報のタイムラインを好ましい分類の表示順に容易に表示できる。
【００６２】
また、人事管理装置１０は、複数の表示項目を関連付けて表示させる組合せを示すセット情報（プロジェクト４２〜家族手当５２の２番目の数字）に基づいて、選択入力された対象業務に対応する分類の人事履歴情報のタイムラインを関連付けして表示させる。このため、操作者が、セットとして関連付けられ、組み合わせて参照するのが好ましい複数の分類の人事履歴情報のタイムラインを容易に参照できる。
【００６３】
以上の説明では、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００６４】
なお、上記実施の形態における記述は、本発明に係る情報処理装置及びプログラムの一例であり、これに限定されるものではない。
【００６５】
例えば、上記実施の形態では、人事履歴情報照会画面情報において、タイムスケール表示欄３２０の単位期間の長さが均等に表示される構成としたが、これに限定されるものではない。例えば、タイムスケール表示欄３２０の単位期間のうち、履歴情報表示領域３３２のタイムラインの変化点に対応する単位期間、又は当該単位期間を含む所定長さの期間の経時方向の長さを長くする（ズームする）構成としてもよい。
【００６６】
また、上記実施の形態における人事管理装置１０の各構成要素の細部構成及び細部動作に関しては、本発明の趣旨を逸脱することのない範囲で適宜変更可能であることは勿論である。
【００６７】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
処理の対象とする対象業務の選択入力を受け付ける選択手段と、
前記選択入力された対象業務に対応して予め定められた表示項目を時系列に従って配置した経歴タイムラインを所定のタイムスケールで表示手段に表示させる表示制御手段と、
を備える情報処理装置。
＜請求項２＞
前記表示制御手段は、前記選択入力された対象業務に対応して予め定められた表示項目及び単位期間のタイムスケールで経歴タイムラインを前記表示手段に表示させる請求項１に記載の情報処理装置。
＜請求項３＞
前記表示制御手段は、複数の対象業務に対応づけて表示項目及びタイムスケールの単位期間が設定された設定情報に基づいて、前記選択入力された対象業務に対応する表示項目及び単位期間のタイムスケールで経歴タイムラインを表示させる請求項２に記載の情報処理装置。
＜請求項４＞
前記設定情報は、前記複数の対象業務に対応づけた表示項目の表示順を含み、
前記表示制御手段は、前記設定情報に基づいて、前記選択入力された対象業務に対応する表示項目及び単位期間のタイムスケールで経歴タイムラインを表示順に表示させる請求項３に記載の情報処理装置。
＜請求項５＞
前記表示制御手段は、複数の表示項目を関連付けて表示させる組合せを示すセット情報に基づいて、前記選択入力された対象業務に対応する表示項目の経歴タイムラインを関連付けして表示させる請求項１から４のいずれか一項に記載の情報処理装置。
＜請求項６＞
コンピュータを、
処理の対象とする対象業務の選択入力を受け付ける選択手段、
前記選択入力された対象業務に対応して予め定められた表示項目を時系列に従って配置した経歴タイムラインを所定のタイムスケールで表示手段に表示させる表示制御手段、
として機能させるためのプログラム。
【符号の説明】
【００６８】
１０  人事管理装置
１１  ＣＰＵ
１２  操作部
１３  ＲＡＭ
１４  表示部
１５  記憶部
１６  通信部
１７  バス
【図１】
2018049490.tif 000003
【図２】
2018049490.tif 000004
【図３】
2018049490.tif 000005
【図４】
2018049490.tif 000006
【図５】
2018049490.tif 000007
【図６】
2018049490.tif 000008
【図７】
2018049490.tif 000009